(57)【特許請求の範囲】
【請求項１】
箱型に組み立てられた状態から、最初に底部方向に倒される一方の相対する側壁と、該側壁に次いで、後から底部方向に倒されるもう一方の相対する側壁とを有するとともに、前記最初に底部方向に倒される一方の相対する側壁には、ロックバーと操作部とからなるロック部材が配設されている折り畳みコンテナーにおいて、最初に底部方向に倒される一方の側壁に配設されたロック部材を構成するロックバーに形成された係止突条と、前記最初に底部方向に倒される側壁の係合部材の垂直角部とにより構成されるロックバー移動阻止機構により、折り畳みコンテナーが箱型に組み立てられ状態で、前記ロックバーが、互いに接近する方向に移動した際に、前記ロックバーの互いに接近する方向への移動を阻止するように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく、底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック部材により、ロックされるように構成されている。
【０００３】
一例として、特許文献１には、短側壁に配設されたロック部材の操作部を下方に移動させることにより、その先端が、長側壁に形成された凹部に挿入されている一対のロックバーを、ロックバーを長側壁方向に付勢している弾性部材に抗して、互いに接近する方向に移動させて、ロックバーの先端を、長側壁に形成された凹部から排出させて、長側壁と短側壁とのロック状態を解除するようにした構成が開示されている。
【先行技術文献】
【特許文献】
【０００４】
【特許文献１】特開２００３−４０２６３号公報
【発明の概要】
【発明が解決しようとする課題】
【０００５】
上述した従来の折り畳みコンテナーは、折り畳みコンテナーが、箱型に組み立てられた状態において、一対のロックバーを長側壁方向に付勢している弾性部材に、ロックバーを互いに接近する方向に移動させるような不意の外力が加わった場合に、ロックバーの先端が、長側壁に形成された凹部から排出されて、長側壁と短側壁とのロック状態が解除されるという問題があった。
【０００６】
また、箱型に組み立てられた折り畳みコンテナーのロック部材が配設されている短側壁に、上方から圧縮荷重が加わると、短側壁が内側方向に傾動し、弾性部材の付勢力に抗して、ロックバーが、互いに接近する方向に移動し、ロックバーの先端が、長側壁に形成された凹部から排出されて、長側壁と短側壁とのロック状態が、不意に解除されるという問題があった。
【０００７】
本発明の目的は、上述した従来の折り畳みコンテナーが有する課題を解決することにある。
【課題を解決するための手段】
【０００８】
本発明は、上述した目的を達成するために、箱型に組み立てられた状態から、最初に底部方向に倒される一方の相対する側壁と、該側壁に次いで、後から底部方向に倒されるもう一方の相対する側壁とを有するとともに、前記最初に底部方向に倒される一方の相対する側壁には、ロックバーと操作部とからなるロック部材が配設されている折り畳みコンテナーにおいて、最初に底部方向に倒される一方の側壁に配設されたロック部材を構成するロックバーに形成された係止突条と、前記最初に底部方向に倒される側壁の係合部材の垂直角部とにより構成されるロックバー移動阻止機構により、折り畳みコンテナーが箱型に組み立てられ状態で、前記ロックバーが、互いに接近する方向に移動した際に、前記ロックバーの互いに接近する方向への移動を阻止するように構成したものである。
【発明の効果】
【０００９】
箱型に組み立てられた状態から、最初に底部方向に倒される一方の相対する側壁と、該側壁に次いで、後から底部方向に倒されるもう一方の相対する側壁とを有するとともに、最初に底部方向に倒される一方の相対する側壁には、ロックバーと操作部とからなるロック部材が配設されている折り畳みコンテナーにおいて、該折り畳みコンテナーが箱型に組み立てられ状態で、ロックバーが、互いに接近する方向に移動した際に、ロックバーの互いに接近する方向への移動を阻止するロックバー移動阻止機構を配設したので、ロックバーを互いに接近する方向に移動させるような不意の外力が加わった場合にも、ロックバーの互いに接近する方向への移動を阻止することができ、従って、箱型に組み立てられ状態における、ロックバーの先端部の長側壁に形成された係合凹部からの排出が防止され、最初に底部方向に倒される一方の相対する側壁が、底部方向に、不用意に、倒れるようにようなことを防止することができる。
【図面の簡単な説明】
【００１０】
【図１】図１は、本発明の折り畳みコンテナーが箱型に組み立てられた状態で、且つ、蓋部材が省略された状態の全体斜視図である。
【図２】図２は、本発明の折り畳みコンテナーを構成する長側壁の部分斜視図である。
【図３】図３は、本発明の折り畳みコンテナーを構成する長側壁の部分拡大斜視図である。
【図４】図４は、本発明の折り畳みコンテナーを構成する短側壁の外側からの部分斜視図である。
【図５】図５は、本発明の折り畳みコンテナーを構成する短側壁の内側からの部分斜視図である。
【図６】図６は、図４に示されている短側壁の部分拡大斜視図である。
【図７】図７は、同じく、図４に示されている短側壁の更なる部分拡大斜視図である。
【図８】図８は、本発明の折り畳みコンテナーを構成するロック部材の斜視図である。
【図９】図９は、本発明の折り畳みコンテナーのロック部材を構成する操作部の斜視図である。
【図１０】図１０は、同じく、本発明の折り畳みコンテナーのロック部材を構成する操作部の斜視図である。
【図１１】図１１は、本発明の折り畳みコンテナーのロック部材を構成するロックバーの斜視図である。
【図１２】図１２は、同じく、本発明の折り畳みコンテナーのロック部材を構成するロックバーの斜視図である。
【図１３】図１３は、本発明の折り畳みコンテナーを構成する蓋部材の斜視図である。
【図１４】図１４は、同じく、本発明の折り畳みコンテナーを構成する蓋部材の斜視図である。
【図１５】図１５は、本発明の折り畳みコンテナーを構成するロック部材が、短側壁に取り付けられた状態の部分斜視図である。
【図１６】図１６は、本発明の折り畳みコンテナーを構成する蓋部材が、短側壁に取り付けられた状態の部分斜視図である。
【図１７】図１７は、本発明の折り畳みコンテナーのロック状態を示す、一部垂直断面を含む部分斜視図である。
【図１８】図１８は、本発明の折り畳みコンテナーのロック状態を示す、短側壁の一部垂直断面を含む部分斜視図である。
【図１９】図１９は、本発明の折り畳みコンテナーのロック解除状態を示す、短側壁の一部垂直断面を含む部分斜視図である。
【図２０】図２０は、本発明の折り畳みコンテナーのロック状態を示す、短側壁が省略された状態の部分斜視図である。
【図２１】図２１は、本発明の折り畳みコンテナーのロック解除状態を示す、一部垂直断面を含む部分斜視図である。
【図２２】図２２は、本発明の折り畳みコンテナーのロック解除状態を示す、短側壁の一部垂直断面を含む部分斜視図である。
【図２３】図２３は、本発明の折り畳みコンテナーを構成する短側壁の部分拡大斜視図である。
【図２４】図２４は、本発明の折り畳みコンテナーを構成する短側壁の水平断面を含む部分斜視図である。
【図２５】図２５は、本発明の折り畳みコンテナーを構成する短側壁の部分水平断面図である。
【図２６】図２６は、本発明の別の実施例の折り畳みコンテナーのロック部材を構成するロックバーの斜視図である。
【図２７】図２７は、本発明の別の実施例の折り畳みコンテナーを構成する長側壁の部分拡大斜視図である。
【図２８】図２８は、本発明の別の実施例の折り畳みコンテナーを構成する短側壁の部分水平断面図である。
【図２９】図２９は、本発明の別の実施例の折り畳みコンテナーを構成する短側壁の部分水平断面図である。
【実施例】
【００１１】
以下に、本発明の実施例について説明するが、本発明の趣旨を越えない限り、何ら、本実施例に限定されるものではない。
【００１２】
本発明の折り畳みコンテナーは、図１に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより高く形成されている。
【００１３】
図１に示されている箱型に組み立てられた状態から、先ず最初に、短側壁３を、底部１に重なるように倒し、次いで、長側壁２を、底部１に重ねられた短側壁３に重なるように倒すことにより、公知のように、折り畳みコンテナーを、高さの低いコンパクトに折り畳むことができるように構成されている。このようにして折り畳まれた状態から、長側壁２を、垂直に立て、次いで、短側壁３を垂直に立てることにより、図１に示されているように、箱型に組み立てることができるように構成されている。
【００１４】
次に、図１〜図３を用いて、長側壁２について説明する。
【００１５】
長側壁２は、略方形状の板状部２ａを有しており、長側壁２の上端には、上端水平フランジ２ｂが形成されている。また、長側壁２の両垂直端には、板状部２ａに略垂直で、且つ、板状部２ａの内面（折り畳みコンテナーを箱型に組み立てた際に、箱型に組み立てられた折り畳みコンテナーの内側に位置する面）２ａ１に対して、垂直な縦長の長側壁側係合部材２ｃが形成されている。この長側壁側係合部材２ｃを構成する、板状部２ａの内面２ａ１に対して、垂直な縦長の帯状板（以下、端部縦長帯状板という。）２ｃ１と板状部２ａの内面２ａ１とにより形成される隅部の上端部には、相対する長側壁２側が開口された係合凹部２ｄが形成されている。係合凹部２ｄは、端部縦長帯状板２ｃ１と、該端部縦長帯状板２ｃ１に平行な垂直側壁２ｄ１と、該垂直側壁２ｄ１の上端と端部縦長帯状板２ｃ１とを連結する天板２ｄ２と、垂直側壁２ｄ１の下端と端部縦長帯状板２ｃ１とを連結する底板２ｄ３と、板状部２ａとにより囲まれている。また、上述した端部縦長帯状板２ｃ１の上端部には、上端嵌合孔２ｅ１が形成されており、また、上端嵌合孔２ｅ１の下方に位置する端部縦長帯状板２ｃ１には、適当数の嵌合孔２ｅ２が形成されている。なお、本実施例には、２個の嵌合孔２ｅ２が形成されている例が示されている。
【００１６】
次に、図１及び図４〜図７を用いて、短側壁３について説明する。
【００１７】
短側壁３は、横長の板状部３ａを有しており、短側壁３の上端には、上端水平フランジ３ｂが形成されている。また、短側壁３の両垂直端に１、板状部３ａに対して垂直に、板状部３ａの外面（折り畳みコンテナーを箱型に組み立てた際に、箱型に組み立てられた折り畳みコンテナーの外側に位置する面）３ａ１方向に延在する縦長の端部垂直リブ３ｃが形成されている。
【００１８】
端部垂直リブ３ｃの外側には、板状部３ａに沿って縦長の短側壁側係合部材３ｄが延設されている。短側壁側係合部材３ｄの上端部には、板状部３ａに対して垂直な上端嵌合突部３ｅ１が形成されており、また、上端嵌合突部３ｅ１の下方には、適当数の嵌合突部３ｅ２が形成されている。なお、本実施例には、２個の嵌合孔嵌合突部３ｅ２が形成されている例が示されている。
【００１９】
図１に示されているように、折り畳みコンテナーが箱型に組み立てられた際には、長側壁２の長側壁側係合部材２ｃの上端部に形成された上端嵌合孔２ｅ１に、短側壁３の短側壁側係合部材３ｄの上端部に形成された上端嵌合突部３ｅ１が嵌合され、また、長側壁２の長側壁側係合部材２ｃに形成された嵌合孔２ｅ２に、短側壁３の短側壁側係合部材３ｄに形成された嵌合突部３ｅ２が嵌合されるように構成されている。
【００２０】
短側壁３を形成する板状部３ａの外面３ａ１の上部には、上端水平フランジ３ｂと所定の間隔を置いて、上部水平リブ３ｆが、端部垂直リブ３ｃまで延在するように形成されている。上端水平フランジ３ｂと上部水平リブ３ｆとは、端部垂直リブ３ｃの上部水平部３ｃ１を介して垂直に延在する上端部垂直部３ｃ２により連結されており、また、上端水平フランジ３ｂの中央領域と上部水平リブ３ｆの中央領域を連結するように、所定の間隔を置いて、相対する一対の中央寄り連結垂直リブ３ｇが形成されており、中央寄り連結垂直リブ３ｇの端部垂直リブ３ｃ側には、所定の間隙をおいて、端部寄り連結垂直リブ３ｈが形成されている。更に、中央寄り連結垂直リブ３ｇと端部寄り連結垂直リブ３ｈとの間隙には、中央寄り連結垂直リブ３ｇと端部寄り連結垂直リブ３ｈとを連結する縦長連結ブロック３ｉが形成されている。なお、端部寄り連結垂直リブ３ｈや縦長連結ブロック３ｉは、適宜、省略することができ、また、端部垂直リブ３ｃの上端部垂直部３ｃ２と中央寄り連結垂直リブ３ｇとの間に、上端水平フランジ３ｂと上部水平リブ３ｆとを連結する連結垂直リブを、更に追加することもできる。
【００２１】
上述した、上端水平フランジ３ｂと上部水平リブ３ｆと相対する一対の中央寄り連結垂直リブ３ｇと板状部３ａの外面３ａ１とにより、後述する蓋部材４により被蓋される中央空間部Ａ１が形成されている。
【００２２】
上述した短側壁側係合部材３ｄを構成する垂直端壁３ｄ１、端部垂直リブ３ｃの上端部垂直部３ｃ２、端部寄り連結垂直リブ３ｈ、縦長連結ブロック３ｉ及び中央寄り連結垂直リブ３ｇには、短側壁側係合部材３ｄを構成する垂直端壁３ｄ１から見て連通するするように、後述するロックバーが挿通可能なロックバー挿通孔が、それぞれ穿設されている。ロックバー挿通孔は、短側壁側係合部材３ｄの垂直端壁３ｄ１に穿設されたロックバー挿通孔３ｄ１’、端部垂直リブ３ｃの上端部垂直部３ｃ２に穿設されたロックバー挿通孔３ｃ２’、端部寄り連結垂直リブ３ｈに穿設されたロックバー挿通孔３ｈ’、縦長連結ブロック３ｉに穿設されたロックバー挿通孔（図示されていない。）及び中央寄り連結垂直リブ３ｇに穿設されたロックバー挿通孔３ｇ’とから構成されている。
【００２３】
中央空間部Ａ１内に位置する上端水平フランジ３ｂ付近の板状部３ａには、板状部３ａの外面３ａ１に対して垂直に、一対の枢支短軸支持ブロック３ｊが形成されており、枢支短軸支持ブロック３ｊには、嵌合凹部３ｊ１が形成されている。なお、３ｋは、枢支短軸支持ブロック３ｊと上部水平リブ３ｆとを連結するように、板状部３ａに形成された垂直補強リブである。
【００２４】
枢支短軸支持ブロック３ｊの中央寄りに位置する板状部３ａには、上端水平フランジ３ｂと上部水平リブ３ｆを連結するように、一対のバネ受け支持用垂直リブ３ｍが形成されている。一対のバネ受け支持用垂直リブ３ｍの対向する側面３ｍ１と板状部３ａの外面３ａ１とにより形成される隅部の下方には、バネ受け支持ブロック３ｎが形成されている。また、バネ受け支持ブロック３ｎの先端は、バネ受け支持用垂直リブ３ｍの先端から突出するように形成されている。また、バネ受け支持ブロック３ｎの上面３ｎ１は、板状部３ａの外面３ａ１から延在する水平面３ｎ１’と、水平面３ｎ１’の端部から、上方に延在する傾斜面３ｎ１”とから形成されている。
【００２５】
相対する一対のバネ受け支持用垂直リブ３ｍの中央部に位置する上部水平リブ３ｆの上面と板状部３ａの外面３ａ１とにより形成される隅部には、台座３ｐが形成されており、台座３ｐの上面と板状部３ａの外面３ａ１とにより形成される隅部には、所定の間隙をおいて、一対の補強垂直片３ｑが立設されている。
【００２６】
上端水平フランジ３ｂの中央部には、板状部３ａの内面（折り畳みコンテナーを箱型に組み立てた際に、箱型に組み立てられた折り畳みコンテナーの内側に位置する面）３ａ２から板状部３ａの外面３ａ１方向に延在する、平面形状が円弧状凹部３ｒが形成されており、円弧状凹部３ｒが位置する板状部３ａには、円弧状凹部３ｒと連通する横長の長方形状の透孔３ｓが穿設されている。円弧状凹部３ｒと長方形状の透孔３ｓとにより、箱型に組み立てられた折り畳みコンテナーの短側壁３の内部側の上部角部の中央部には、操作部挿入空間部Ａ２が形成されている。
【００２７】
上端水平フランジ３ｂと板状部３ａとにより形成される角部の両端部付近には、切欠透孔３ｔが形成されており、また、中央空間部Ａ１内に位置する上部水平リブ３ｆには、適当数の係止透孔３ｕが穿設されている。本実施例においては、４個の係止透孔３ｕが穿設されている例が示されている。更に、上述した操作部挿入空間部Ａ２を構成する板状部３ａに形成された長方形状の透孔３ｓの中央部に位置する上端水平フランジ３ｂの下面には、上端水平フランジ３ｂに垂直な弾性変形可能な弾性係止片３ｖが垂設されている。なお、上部水平リブ３ｆの上面と、枢支短軸支持ブロック３ｊと上部水平リブ３ｆとを連結するように形成された垂直補強リブ３ｋとにより形成される隅部には、後述するロックバーの下面を案内支持するロックバー下面支持ブロック３ｗが形成されている。
【００２８】
また、バネ受け支持用垂直リブ３ｍと上部水平リブ３ｆとにより形成される短側壁側係合部材３ｄ側の隅部には．後述するロック部材を構成するロックバーに形成されたバネ体の先端部が当接するバネ体当接ブロック３ｘが形成されている。
【００２９】
次に、図８〜図１０を用いて、１個の操作部Ｌａと一対のロックバーＬｂとからなるロック部材Ｌについて説明する。
【００３０】
操作部Ｌａは、横長で略角柱状の操作本体１０と、操作本体１０の両垂直側面１０ａに、それぞれ形成された２本の水平腕１１とを有している。また、水平腕１１の先端垂直面１１ａには、枢支短軸１１ｂが形成されている。更に、操作本体１０を構成する下部水平板部１０ｂの中央部には、互いに離反するように延在するとともに操作本体１０の長手方向に沿って、一対の帯状板材として形成された傾斜バネ体１２が形成されている。また、一対の傾斜バネ体１２の根元部１２ａの中央部に位置する操作本体１０の下部水平板部１０ｂには、傾斜バネ体保護片１３が、操作本体１０の下部水平板部１０ｂに対して、垂直に形成されている。傾斜バネ体保護片１３の下端１３ａの下部水平板部１０ｂの下面からの垂直距離と、傾斜バネ体１２の先端部１２ｂの下部水平板部１０ｂの下面からの垂直距離とが、略同じになるように形成されている。換言すれば、傾斜バネ体保護片１３の下端１３ａと傾斜バネ体１２の先端部１２ｂとが、略同じ水平面上に位置するように構成されている。このように構成することにより、箱に収容されたパーツとしての操作部Ｌａが、箱の側壁等に当接し、過度に、一対の傾斜バネ体１２が傾斜しようとしても、傾斜バネ体保護片１３が、箱の側壁等に当接し、傾斜バネ体１２の過度の変形を防止することができ、傾斜バネ体１２の損傷を防止することができる。なお、このような傾斜バネ体保護片１３を省略することもできる。
【００３１】
１４は、操作本体１０を構成する上部水平板部１０ｃの上面に形成された円弧状の操作部であり、操作部１４の上面１４ａは、操作本体１０を構成する上部水平板部１０ｃの上面に対して、上方に傾斜して形成されている。また、操作部１４の円弧部１４ｂは、操作本体１０側に位置し、操作部１４の直線部１４ｃは、操作本体１０から離反する側に位置するように形成されている。また、一対の水平腕１１の操作部１４の直線部１４ｃ側に位置する側面部１１ｃには、側面部１１ｃから略垂直方向に延在する従動短軸１５が突設されている。
【００３２】
次に、図８、図１１及び図１２を用いて、ロックバーＬｂについて説明する。  
【００３３】
ロックバーＬｂは、垂直状の板状体２０と、板状体２０の上面２０ａの一方の端部付近に立設された、略方形状のカム板２１とを有しており、カム板２１には、略三角形状のカム孔部２１ａが穿設されている。また、カム板２１と反対側に位置する板状体２０の先端部には、傾斜面２０ｂが形成されている。上記のカム孔部２１ａは．略水平に形成された天井面２１ａ１と、板状体２０側に位置する略垂直な側壁面２１ａ２と、天井面２１ａ１の側壁面２１ａ２から遠い方の端部と側壁面２１ａ２の下端部を連結する傾斜面２１ａ３とから形成されている。
【００３４】
カム板２１の垂直先端部２１ｂは、板状体２０の傾斜面２０ｂと反対側に位置する垂直先端部２０ｃから突出するように構成されており、また、カム板２１の垂直先端部２１ｂには、略垂直状に下方に延在する帯状板材として形成された垂直バネ体２２が形成されている。なお、カム板２１付近に位置する板状体２０の一方の側面には、上述した、枢支短軸支持ブロック３ｊと上部水平リブ３ｆとを連結するように形成された垂直補強リブ３ｋが挿入される、ロックバーＬｂの水平移動を阻害することのないような凹部２０ｄが形成されている。
【００３５】
また、カム板２１と反対側に位置する板状体２０の先端部に形成されている傾斜面２０ｂと、板状体２０の外側垂直面（ロックバーＬｂが、短側壁３に取り付けられた際に、箱型に組み立てられた折り畳みコンテナーの外側に位置する面）２０ｅとの境界部分には、垂直状の係止突条２０ｆが突設されている。
【００３６】
次に、図１３及び図１４を用いて、蓋部材４について説明する。
【００３７】
蓋部材４は、横長の板状体に形成された本体部４ａと、本体部４ａの上部端部から、本体部４ａに対して垂直方向に延在する上端ブロック部４ｂとを有しており、上端ブロック部４ｂの上面４ｂ１の先端部には、短側壁３の上端水平フランジ３ｂと板状部３ａとにより形成される角部の両端部付近に形成された切欠透孔３ｔに挿入される挿入片４ｃが立設されている。また、本体部４ａの両垂直側面４ａ１の下端部には、中央寄り連結垂直リブ３ｇに穿設されたロックバー挿通孔３ｇ’側に位置する垂直な内側縁部３ｇ１に引っ掛かることがことができる、三角柱状垂直突部４ｄが形成されている。三角柱状垂直突部４ｄは、本体部４ａの垂直側面４ａ１に対して垂直な垂直側面４ｄ１と、該垂直側面４ｄ１の垂直先端から、本体部４ａの垂直側面４ａ１に向かって傾斜した垂直傾斜面４ｄ２とを有している。なお、垂直傾斜面４ｄ２は、上端ブロック部４ｂ側に位置するように構成されている。
【００３８】
また、本体部４ａの下面には、短側壁３に形成された中央空間部Ａ１内に位置する短側壁３の上部水平リブ３ｆに穿設された係止透孔３ｕに嵌合される三角柱状水平突部４ｅが垂設されており、三角柱状水平突部４ｅは、本体部４ａに対して垂直な水平垂直面４ｅ１と、本体部４ａの下面から、水平垂直面４ｅ１に向かって傾斜した水平傾斜面４ｅ２とを有している。
【００３９】
更に、本体部４ａの上面中央部には、相対する側面４ｆ１と底面４ｆ２とからなる凹部４ｆが形成されており、凹部４ｆの底面４ｆ２には、相対する側面４ｆ１を架橋する係合垂直片４ｇが形成されている。係合垂直片４ｇには、短側壁３の上端水平フランジ３ｂの裏面に垂下された弾性変形可能な弾性係止片３ｖが係止されるように構成されている。
【００４０】
次に、主として、図１５及び図１６を用いて、ロック部材Ｌの短側壁３への取り付けについて説明する。
【００４１】
先ず最初に、一対のロックバーＬｂを構成する板状体２０の先端部を、中央空間部Ａ１側から、中央寄り連結垂直リブ３ｇに穿設されたロックバー挿通孔３ｇ’、縦長連結ブロック３ｉに穿設されたロックバー挿通孔、端部寄り連結垂直リブ３ｈに穿設されたロックバー挿通孔３ｈ’、端部垂直リブ３ｃの上端部垂直部３ｃ２に穿設されたロックバー挿通孔３ｃ２’、短側壁側係合部材３ｄを構成する垂直端壁３ｄ１に穿設されたロックバー挿通孔３ｄ１’の順に挿通し、ロックバーＬｂに形成された垂直バネ体２２が、短側壁３の中央空間部Ａ１に形成された、バネ受け支持用垂直リブ３ｍと上部水平リブ３ｆとにより形成される短側壁側係合部材３ｄ側の隅部に形成されたバネ体当接ブロック３ｘの側面３ｘ１に当接、或いは、接近して位置するように配置する。この際、板状体２０の先端部に形成された傾斜面２０ｂが、短側壁３の板状部３ａの外面３ａ１側に位置するように配置する。上記のように、一対のロックバーＬｂを、短側壁３の中央空間部Ａ１配設した際には、カム孔部２１ａを形成する天井面２１ａ１と傾斜面２１ａ３の上端部とにより形成される上部隅部２１ａ’は、バネ受け支持用垂直リブ３ｍ側に位置するように構成されている。
【００４２】
次いで、操作部Ｌａを、中央空間部Ａ１内に位置する短側壁３の板状部３ａの外面３ａ１に接近させて、図１５や図１７に示されているように、操作部Ｌａを構成する水平腕１１の先端垂直面１１ａに形成された枢支短軸１１ｂを、短側壁３の中央空間部Ａ１内に位置する上端水平フランジ３ｂ付近の板状部３ａに形成された枢支短軸支持ブロック３ｊの嵌合凹部３ｊ１に嵌合するとともに、操作本体１０に形成された従動短軸１５を、ロックバーＬｂを構成するカム板２１に穿設されたカム孔部２１ａに挿入する。また、操作本体１０に形成された操作部１４は、短側壁３を構成する上端水平フランジ３ｂの中央部と板状部３ａとに跨がるように形成された操作部挿入空間部Ａ２に挿入されるように構成されている。更に、操作部Ｌａの操作本体１０の下面の中央部に形成された傾斜バネ体１２の先端部１２ｂが、短側壁３の中央空間部Ａ１内に形成されたバネ受け支持ブロック３ｎの上面３ｎ１を構成する水平面３ｎ１’に載置されるように構成されている。
【００４３】
上述したように、ロック部材Ｌを構成する操作部Ｌａの操作本体１０に形成された操作部１４が、短側壁３を構成する上端水平フランジ３ｂの中央部と板状部３ａとに跨がるように形成された操作部挿入空間部Ａ２に挿入された際には、操作部１４の直線部１４ｃが、短側壁３の内面３ａ２と略面一になるように構成されている。また、操作部Ｌａを構成する操作本体１０の下部水平板部１０の下面に垂設された傾斜バネ部材保護片１３が、短側壁３に形成された中央空間部Ａ１内に形成された一対の補強垂直片３ｑ間に配置されるように構成されている。
【００４４】
また、ロック部材Ｌが短側壁３に取り付けられた際には、ロック部材Ｌを構成する操作部ＬａのロックバーＬｂを構成する板状体２０の先端部が、短側壁側係合部材３ｄを構成する垂直端壁３ｄ１から突出するように構成されている。更に、操作部Ｌａの操作本体１０の下面の中央部に形成された傾斜バネ体１２の先端部１２ｂが、図１５や図１７に示されているように、短側壁３の中央空間部Ａ１内に形成されたバネ受け支持ブロック３ｎの上面３ｎ１を構成する水平面３ｎ１’に載置されるように構成されている。更に、操作部Ｌａの操作本体１０に形成された従動短軸１５が、ロックバーＬｂを構成するカム板２１に穿設されたカム孔部２１ａに挿入された際には、従動短軸１５は、図１８に示されているように、カム孔部２１ａを形成する天井面２１ａ１と傾斜面２１ａ３の上端部とにより形成される上部隅部２１ａ’付近に位置するように構成されている。
【００４５】
更に、上述したようにして、ロック部材Ｌが短側壁３に取り付けられた際には、ロック部材Ｌの操作本体１０に形成された円弧状の操作部１４が、箱型に組み立てられた折り畳みコンテナーの短側壁３の内部側の上部角部の中央部に形成された操作部挿入空間部Ａ２に嵌合されるように構成されている。
【００４６】
次いで、蓋部材４の本体部４ａが、短側壁３に形成された中央空間部Ａ１内に位置する板状部３ａの外面３ａ１と対向するように配置し、その後、蓋部材４を、短側壁３に接近させて、蓋部材４を構成する上端ブロック部４ｂの上面４ｂ１に突設されている挿入片４ｃを、短側壁３の上端水平フランジ３ｂと板状部３ａとにより形成された角部の両端部付近に形成された切欠透孔３ｔに挿入し、また、蓋部材４を構成する本体部４ａの両垂直側面４ａ１の下端部に突設された三角柱状垂直突部４ｄを、短側壁３に形成された中央寄り連結垂直リブ３ｇに穿設されたロックバー挿通孔３ｇ’側に位置する内側縁部３ｇ１に引っ掛かけ、更に、蓋部材４を構成する本体部４ａの下面に垂設された三角柱状水平突部４ｅを、短側壁３の中央空間部Ａ１内に位置する上部水平リブ３ｆに穿設された係止透孔３ｕに嵌合し、更にまた、蓋部材４を構成する本体部４ａの上面中央部に形成された凹部４ｆの相対する側面４ｆ１を架橋する係合垂直片４ｇを、短側壁３の上端水平フランジ３ｂの裏面に垂下された弾性係止片３ｖに係止することにより、短側壁３に形成された中央空間部Ａ１を、蓋部材４により被蓋する。
【００４７】
上述した短側壁３に形成された中央空間部Ａ１への蓋部材４の被蓋工程においては、蓋部材４を構成する本体部４ａの両垂直側面４ａ１の下端部に突設された三角柱状垂直突部４ｄに形成された垂直傾斜面４ｄ２及び本体部４ａの下面に垂設された三角柱状水平突部４ｅの水平傾斜面４ｅ２が、短側壁３を形成する板状部３ａの外面３ａ１側に配置されるように構成されている。この状態で、蓋部材４を、短側壁３に接近させると、蓋部材４を構成する本体部４ａの両垂直側面４ａ１の下端部に突設された三角柱状垂直突部４ｄに形成された垂直傾斜面４ｄ２が、短側壁３に形成された中央空間部Ａ１内に形成された中央寄り連結垂直リブ３ｇに当接し、三角柱状垂直突部４ｄが、垂直傾斜面４ｄ２に案内されることになるので、中央空間部Ａ１への蓋部材４の設置が容易になる。同様に、蓋部材４を構成する本体部４ａの下面に垂設された三角柱状水平突部４ｅの水平傾斜面４ｅ２が、短側壁３の上部水平リブ３ｆの先端に当接し、三角柱状水平突部４ｅが、水平傾斜面４ｅ２に案内されることになるので、中央空間部Ａ１への蓋部材４の設置が容易になる。このようにして、図１６に示されているように、蓋部材４により、短側壁３に形成された中央空間部Ａ１が被蓋されることになる。
【００４８】
上述したように、蓋部材４により、短側壁３に形成された中央空間部Ａ１が被蓋されているので、短側壁３の板状部３ａの外面３ａ１に形成された中央空間部Ａ１内に配置されているロック部材Ｌを構成する操作部ＬａやロックバーＬｂが、外側に剥き出しになるようなことがなく、従って、中央空間部Ａ１内に配置されているロック部材Ｌを構成する操作部ＬａやロックバーＬｂが、外部部材により、損傷するようなことを防止することができる。また、蓋部材４により、段積み状態時の上方からの負荷に対して、中央空間部の変形を防止することができるため、ロック部材Ｌを構成する操作部ＬａやロックバーＬｂが損傷するようなことを防止することができる。
【００４９】
折り畳まれた状態の折り畳みコンテナーを、図１に示されているように、箱型に組み立てるには、先ず最初に、水平状態の長側壁２を、垂直方向に回動させて、垂直に立てる。次いで、水平状態の短側壁３を、垂直方向へ回動させることになるが、短側壁３の垂直方向への回動工程において、短側壁３に取り付けられているロック部材Ｌを構成するロックバーＬｂの板状体２０の先端部に形成された傾斜面２０ｂが、長側壁２に形成された係合凹部２ｄを構成する垂直側壁２ｄ１に当接することになる。この状態から、更に、短側壁３を、垂直方向に回動させると、ロックバーＬｂの板状体２０の先端部に形成された傾斜面２０ｂが、長側壁２に形成された係合凹部２ｄの垂直側壁２ｄ１に案内されながら、一対のロックバーＬｂが、互いに接近する方向に水平移動し、ロックバーＬｂの板状体２０の先端部が、短側壁側係合部材３ｄを構成する垂直側壁部３ｄ２から引っ込むことになる。このように、一対のロックバーＬｂが、互いに、接近する方向に水平移動した際には、カム板２１のカム孔部２１ａが、操作部Ｌａの従動短軸１５に当接することなく、水平方向に移動することになる。また、この一対のロックバーＬｂの互いに接近する方向への水平移動により、ロックバーＬｂに形成された垂直バネ体２２は．図１９に示されているように、その弾勢力に抗して、その先端部が、板状体２０方向に弾性変形することになる。
【００５０】
その後、ロックバーＬｂの板状体２０の先端部に形成された傾斜面２０ｂが、長側壁２に形成された係合凹部２ｄの垂直側壁２ｄ１を越えた時点で、ロックバーＬｂに形成された垂直バネ体２２の弾勢復元力により、一対のロックバーＬｂが、互いに、離反する方向に水平移動し、ロックバーＬｂの板状体２０の先端部が、図２０に示されているように、長側壁２に形成された係合凹部２ｄに挿入されることになる。このように、短側壁３に配設されたロックバーＬｂの板状体２０の先端部が、長側壁２に形成された係合凹部２ｄに挿入された時点で、折り畳みコンテナーが箱型に組み立てられることになる。
【００５１】
上述したように、折り畳みコンテナーが箱型に組み立てられた際には、図２３及び図２４に示されているように、ロックバーＬｂの先端部に形成された傾斜面２０ｂと板状体２０の外側垂直面２０ｅとの境界部分に突設された垂直状の係止突条２０ｆが、短側壁側係合部材３ｄを構成する垂直端壁３ｄ１の外面から突出しているとともに、短側壁側係合部材３ｄの垂直端壁３ｄ１に穿設されたロックバー挿通孔３ｄ１’の相対する垂直角部３ｄ１”のうち、板状部３ａの外面３ａ１側に位置する垂直角部３ｄ１”の近傍に位置するように構成されている。
【００５２】
上述した相対する垂直角部３ｄ１”のうちの一方の垂直角部３ｄ１”（板状部３ａの外面３ａ１側に位置する垂直角部であり、以下、外側垂直角部という。）は、短側壁側係合部材３ｄの垂直端壁３ｄ１の外面と、ロックバー挿通孔３ｄ１’の相対する内面３ｄ３のうちの板状部３ａの外面３ａ１側に位置する一方の内面３ｄ３とにより構成されており、また、もう一方の相対する垂直角部３ｄ１”（以下、内側垂直角部という。）は、短側壁側係合部材３ｄの垂直端壁３ｄ１の外面と、板状部３ａの外面３ａ１とにより構成されている。
【００５３】
また、短側壁３の短側壁側係合部材３ｄに形成されたロックバー挿通孔３ｄ１’の相対する内面３ｄ３間の間隙Ｄは、ロックバーＬｂの先端部に形成された傾斜面２０ｂと板状体２０の外側垂直面２０ｅとの境界部分に突設された垂直状の係止突条２０ｆが通過可能なような間隙Ｄに形成されている。例えば、ロックバーＬｂが、板状部３ａの外面３ａ１に当接した状態においては、ロックバーＬｂの板状体２０の外側垂直面２０ｅと、ロックバー挿通孔３ｄ１’の相対する内面３ｄ３のうちの板状部３ａの外面３ａ１側に位置する一方の内面３ｄ３との間に形成された間隙ｄ１は、係止突条２０ｆの外側垂直面２０ｅからの高さより、大きくなるように構成されている。
【００５４】
上述した短側壁３に取り付けられたロック部材Ｌを構成するロックバーＬｂの板状体２０の先端部が、長側壁２に形成された係合凹部２ｄに挿入される直前には、短側壁３の短側壁側係合部材３ｄに形成された上端嵌合突部３ｅ１が、長側壁２の長側壁側係合部材２ｃの上端部に形成された上端嵌合孔２ｅ１に嵌合され、また、短側壁３の短側壁側係合部材３ｄに形成された嵌合突部３ｅ２が、長側壁２の長側壁側係合部材２ｃに形成された嵌合孔２ｅ２に嵌合されるように構成されている。
【００５５】
上述したようにして、水平状態の長側壁２を垂直に立て、次いで、水平状態の短側壁３を、垂直方向に回動させるだけで、短側壁３に取り付けられたロック部材Ｌを、作業者が操作することなく、折り畳まれた状態の折り畳みコンテナーを、図１に示されているように、箱型に組み立てることができる。
【００５６】
また、上述したようにして、折り畳みコンテナーが、箱型に組み立てられた状態においては、図２０に示されているように、短側壁３に配設されたロック部材Ｌを構成するロックバーＬｂの板状体２０の先端部が、長側壁２に形成された係合凹部２ｄに挿入される。従って、短側壁３が、底部１方向に、不用意に、倒れることがないように構成されている。
【００５７】
更に、上述したように、折り畳みコンテナーを箱型に組み立てる際に、一対のロックバーＬｂが、互いに、接近する方向に水平移動した際には、ロックバーＬｂを構成するカム板２１のカム孔部２１ａが、操作部Ｌａの従動短軸１５に当接することなく、水平方向に移動するように構成されているので、操作部Ｌａが回動するようなことがなく、従って、ロックバーＬｂは、ロックバーＬｂに形成された垂直バネ体２２を．弾勢変形させるだけであるので、一対のロックバーＬｂが、互いに、接近する方向に水平移動させる際の負荷が少なくてすみ、折り畳みコンテナーの組み立て作業が容易になる。
【００５８】
折り畳みコンテナーが、箱型に組み立てられた状態においては、図１７に示されているように、操作部Ｌａの操作本体１０の下面の中央部に形成された傾斜バネ体１２の先端部１２ｂが、短側壁３の中央空間部Ａ１内に形成されたバネ受け支持ブロック３ｎの上面３ｎ１を構成する水平面３ｎ１’に載置されるように構成されている。
【００５９】
箱型に組み立てられた折り畳みコンテナーを、折り畳む際には、先ず最初に、短側壁３に取り付けられたロック部材Ｌを構成する操作部Ｌａの円弧状の操作部の上面１４ａに、指を押し当てて、短側壁３の中央空間部Ａ１内に位置する板状部３ａに形成された枢支短軸支持ブロック３ｊの嵌合凹部３ｊ１に嵌合されている操作部Ｌａの枢支短軸１１を回動支点として、操作部Ｌａを、折り畳みコンテナーの内部方向に、下方に回動させると、操作部Ｌａの操作本体１０に形成された傾斜バネ体１２の先端部１２ｂが、図２１に示されているように、短側壁３に形成されたバネ受け支持ブロック３ｎの上面３ｎ１を形成する水平面３ｎ１’から、傾斜面３ｎ１”に当接することになり、従って、傾斜バネ体１２は、その弾性力に抗して、傾斜バネ体１２の先端部１２ｂが、互いに離反する方向に、換言すれば、傾斜バネ体１２の先端部１２ｂが、操作部Ｌａの操作本体１０に接近する方向に弾性変形されることになる。この操作部Ｌａの下方への回動により、図２２に示されているように、ロックバーＬｂのカム板２１に穿設されたカム孔部２１ａの上部隅部２１ａ’に付近に位置していた従動短軸１５が、カム孔部２１ａの傾斜面２１ａ３に沿って、下動することになる。このように、従動短軸１５が、カム孔部２１ａの傾斜面２１ａ３に沿って、下動することにより、一対のロックバーＬｂが、互いに、接近する方向に水平移動し、ロックバーＬｂの板状体２０の先端部が、長側壁２に形成された係合凹部２ｄから排出され、ロック部材Ｌを介して、長側壁２にロックされている短側壁３のロック状態が解除されることになる。次いで、短側壁３を、底部１方向に倒すことにより、短側壁３を、底部１に重ねる。その後、長側壁２を、底部１方向に倒すことにより、長側壁２を、底部１に重ねられている短側壁３に重ねる。このようにして、箱型に組み立てられた折り畳みコンテナーを、折り畳むことができるように構成されている。
【００６０】
上述したように、ロック部材Ｌを構成する操作部Ｌａを、短側壁３の中央空間部Ａ１内に位置する板状部３ａに形成された枢支短軸支持ブロック３ｊの嵌合凹部３ｊ１に嵌合されている操作部Ｌａの枢支短軸１１を回動支点として、下方に回動させるように構成したので、作業者の指が、操作部Ｌａを構成する操作本体１０に形成された操作部１４の上面１４ａのどの位置にあっても、操作部Ｌａを挟んで配設された左右一対のロックバーＬｂの水平移動量が、同じになるので、ロック部材Ｌを介しての短側壁と長側壁のロック状態を、確実に解除することができる。
【００６１】
また、上述したように、折り畳みコンテナーを箱型に組み立てる際には、一対のロックバーＬｂが、互いに、接近する方向に水平移動した際には、ロックバーＬｂを構成するカム板２１のカム孔部２１ａが、操作部Ｌａの従動短軸１５に当接することなく、水平方向に移動するように構成されているので、操作部Ｌａが回動するようなことがなく、従って、ロックバーＬｂは、ロックバーＬｂに形成された垂直バネ体２２を．弾勢変形させるだけであるので、一対のロックバーＬｂが、互いに、接近する方向に水平移動させる際の負荷が少なくてすみ、折り畳みコンテナーの組み立て作業が容易になる。
【００６２】
更に、短側壁３に形成された中央空間部Ａ１内に配置されているロック部材Ｌを構成する操作部ＬａやロックバーＬｂを、蓋部材４により被蓋するように構成したので、中央空間部Ａ１内に配置されているロック部材Ｌを構成する操作部ＬａやロックバーＬｂが、短側壁３の外側に、剥き出しになるようなことがなく、従って、中央空間部Ａ１内に配置されているロック部材Ｌを構成する操作部ＬａやロックバーＬｂが、外部部材により、損傷するようなことを防止することができる。
【００６３】
更にまた、作業者が、箱型に組み立てられた折り畳みコンテナーを運搬する際には、一例として、短側壁３の上部水平リブ３ｆの下面に、手を引っ掛けたり、或いは、図示されていない、上部水平リブ３ｆの下方付近の板状部３ａに形成された持ち手用凹部や透孔に、手を入れることになるが、作業者により操作されるロック部材Ｌの操作部Ｌａが、短側壁３の内部側の上部角部の中央部に形成された操作部挿入空間部Ａ２内に配設されているとともに、折り畳みコンテナーの内部方向に回動するように構成されているので、箱ロックバーＬｂの互いに接近する方向への移動を阻止することができ、よって、箱型に組み立てられ状態における、ロックバーＬｂの先端部の長側壁２に形成された係合凹部２ｄからの排出が防止され、短側壁３が、底部１方向に、不用意に、倒れるようにようなことを防止することができる。型に組み立てられた折り畳みコンテナーの運搬の際に、作業者が誤って、操作部Ｌａに触れて、操作部Ｌａを下方に回動させるようなことを、確実に防止することができる。
【００６４】
操作部Ｌａの操作本体１０に形成された傾斜バネ体１２の先端部１２ｂのうち、バネ受け支持ブロック３ｎの傾斜面３ｎ１”側に位置する角部に、アール１２ｂ１を形成することが好ましい。このようなアール１２ｂ１を形成することにより、傾斜バネ体１２のバネ受け支持ブロック３ｎの水平面３ｎ１’からの傾斜面３ｎ１”への移動を円滑に行うことができるとともに、傾斜バネ体１２のバネ受け支持用垂直リブ３ｍ方向への移動を少なくすることができる。
【００６５】
なお、上述した実施例においては、短側壁３の板状部３ａに形成された枢支短軸支持ブロック３ｊの嵌合凹部３ｊ１に嵌合されている操作部Ｌａの枢支短軸１１を回動支点として、操作部Ｌａを、回動させるように構成されているが、上述した特許文献１等に記載されている公知にように、操作部を、上下方向に移動させるように構成することもできる。
【００６６】
ところで、折り畳みコンテナーが箱型に組み立てられ状態において、短側壁３に、短側壁３を、底部１方向に倒すような負荷が加わり、短側壁３が、底部１方向に傾動した際には、図２５に示されているように、ロックバーＬｂの板状体２０の外側垂直面２０ｅが、短側壁３の短側壁側係合部材３ｄに形成されたロックバー挿通孔３ｄ１’の相対する内面３ｄ３のうちの外側垂直角部３ｄ１”側の内面３ｄ３に当接或いは近接することになる。このように、ロックバーＬｂの板状体２０の外側垂直面２０ｅが、短側壁３の短側壁側係合部材３ｄに形成されたロックバー挿通孔３ｄ１’の相対する内面３ｄ３のうちの外側垂直角部３ｄ１”側の内面３ｄ３に当接或いは近接した状態において、ロックバーＬｂを互いに接近する方向に移動させるような不意の外力が加わった場合にも、ロックバーＬｂの係止突条２０ｆが、外側垂直角部３ｄ１”に当接することになり、従って、ロックバーＬｂの互いに接近する方向への移動を阻止することができ、よって、箱型に組み立てられ状態における、ロックバーＬｂの先端部の長側壁２に形成された係合凹部２ｄからの排出が防止され、短側壁３が、底部１方向に、不用意に、倒れるようにようなことを防止することができる。
【００６７】
なお、上述した短側壁３に配設されたロック部材Ｌを構成するロックバーＬｂに形成された係止突条２０ｆと、短側壁３を構成する短側壁側係合部材３ｄの垂直角部３ｄ１”とにより、折り畳みコンテナーが箱型に組み立てられ状態において、ロックバーＬｂの互いに接近する方向への移動を阻止する、ロックバー移動阻止機構Ｍ１が構成されている。
【００６８】
次に、図２６〜図２９を用いて、本発明の他の実施例について説明する。なお、この実施例においては、ロックバーＬｂ及び長側壁２に形成された係合凹部２ｄに変更を加えた以外は、同じ構成であるので、同じ構成については、同じ符号を用いるとともに、詳細な説明は省略する。
【００６９】
本実施例におけるロックバーＬｂにおいては、上述した実施例におけるロックバーＬｂに形成された、カム板２１と反対側に位置する板状体２０の先端部に形成されている傾斜面２０ｂと板状体２０の外側垂直面２０ｅとの境界部分に突設された垂直状の係止突条２０ｆに代えて、板状体２０の内側垂直面（ロックバーＬｂが、短側壁３に取り付けられた際に、短側壁３を構成する板状部３ａの外面３ａ１と相対する面）２０ｇに、板状体２０の先端垂直辺２０ｈに沿って、垂直状の係止突条２０ｉを突設したものである。なお、この係止突条２０ｉを、以下、ロックバー側係止突条２０ｉと称する。
【００７０】
一方、長側壁２に形成された係合凹部２ｄを構成する端部縦長帯状板２ｃ１に平行な垂直側壁２ｄ１の内面２ｄ１’に、垂直状の係止突条２ｆを突設したものである。なお、この係止突条２ｆを、以下、長側壁側係止突条２ｆと称する。
【００７１】
折り畳みコンテナーが箱型に組み立てられ、長側壁２と短側壁３とがロック状態においては、図２８に示されているように、上述したロックバーＬｂに形成されたロックバー側係止突条２０ｉが、長側壁２に形成された係合凹部２ｄを構成する端部縦長帯状板２ｃ１に平行な垂直側壁２ｄ１の内面２ｄ１’に形成された長側壁側係止突条２ｆと、長側壁２に形成された係合凹部２ｄを構成する端部縦長帯状板２ｃ１との間に位置するように構成されている。
【００７２】
上述した状態から、上述した実施例と同様に、短側壁３が、底部１方向に傾動した際には、図２９に示されているように、ロックバー側係止突条２０ｉが、長側壁２に形成された係合凹部２ｄを構成する長側壁２の板状部２ａに接近、或いは、当接することになり、ロックバー側係止突条２０ｉと長側壁側係止突条２ｆとが、長側壁２の長側壁側係合部材２ｃに対して垂直な方向から見た場合に、互いに、重合するように構成されている。このように、ロックバー側係止突条２０ｉと長側壁側係止突条２ｆとが、長側壁２の長側壁側係合部材２ｃとが、互いに、重合した状態において、ロックバーＬｂを互いに接近する方向に移動させるような不意の外力が加わった場合にも、ロックバー側係止突条２０ｉが、長側壁側係止突条２ｆに当接することになり、従って、ロックバーＬｂの互いに接近する方向への移動を阻止することができ、よって、箱型に組み立てられ状態における、ロックバーＬｂの先端部の長側壁２に形成された係合凹部２ｄからの排出が防止され、短側壁３が、底部１方向に、不用意に、倒れるようにようなことを防止することができる。
【００７３】
なお、上述した短側壁３に配設されたロック部材Ｌを構成するロックバーＬｂに形成されたロックバー側係止突条２０ｉと、長側壁２に形成された係合凹部２ｄを構成する垂直側壁２ｄ１の内面２ｄ１’に形成された長側壁側係止突条２ｆとにより、折り畳みコンテナーが箱型に組み立てられ状態において、ロックバーＬｂの互いに接近する方向への移動を阻止する、ロックバー移動阻止機構Ｍ２が構成されている。
【符号の説明】
【００７４】
Ａ１・・・・・・・・・・・・・・・中央空間部
Ａ２・・・・・・・・・・・・・・・操作部挿入空間部
Ｌ・・・・・・・・・・・・・・・・ロック部材
Ｌａ・・・・・・・・・・・・・・・操作部
Ｌｂ・・・・・・・・・・・・・・・ロックバー
Ｍ１、Ｍ１２・・・・・・・・・・・ロックバー移動阻止機構
１・・・・・・・・・・・・・・・・底部
２・・・・・・・・・・・・・・・・長側壁
２ｃ・・・・・・・・・・・・・・・長側壁側係合部材
３・・・・・・・・・・・・・・・・短側壁
３ｄ・・・・・・・・・・・・・・・短側壁側係合部材
４・・・・・・・・・・・・・・・・蓋部材
１２・・・・・・・・・・・・・・・傾斜バネ体
２１・・・・・・・・・・・・・・・カム板
２１ａ・・・・・・・・・・・・・・カム孔部
２２・・・・・・・・・・・・・・・垂直バネ体
２ｆ、２０ｆ、２０ｉ、・・・・・・係止突条
【図１】
0005410304.tif 000002
【図２】
0005410304.tif 000003
【図３】
0005410304.tif 000004
【図４】
0005410304.tif 000005
【図５】
0005410304.tif 000006
【図６】
0005410304.tif 000007
【図７】
0005410304.tif 000008
【図８】
0005410304.tif 000009
【図９】
0005410304.tif 000010
【図１０】
0005410304.tif 000011
【図１１】
0005410304.tif 000012
【図１２】
0005410304.tif 000013
【図１３】
0005410304.tif 000014
【図１４】
0005410304.tif 000015
【図１５】
0005410304.tif 000016
【図１６】
0005410304.tif 000017
【図１７】
0005410304.tif 000018
【図１８】
0005410304.tif 000019
【図１９】
0005410304.tif 000020
【図２０】
0005410304.tif 000021
【図２１】
0005410304.tif 000022
【図２２】
0005410304.tif 000023
【図２３】
0005410304.tif 000024
【図２４】
0005410304.tif 000025
【図２５】
0005410304.tif 000026
【図２６】
0005410304.tif 000027
【図２７】
0005410304.tif 000028
【図２８】
0005410304.tif 000029
【図２９】
0005410304.tif 000030